(57)【要約】【課題】窓開口部の両側部分にスペースをとらずに簡単に設置する。使い易くする。洗濯物を干さないときはコンパクトに且つ外観良く収納する。【解決手段】窓開口部２の左右両側に固定する縦長形状の固定フレーム３と、各固定フレーム３に対してそれぞれ基端部が片持ち支持される上下２本の可動アーム４とを備え、各固定フレーム３ごとに、上下両可動アーム４の先端部同士が回動自在に連結された回動連結部５とされ、上下両可動アーム４を固定フレーム３に沿って縦方向Ｄに直列状となる立ち上がり姿勢と、前方に向けて側面視く字状に折れ曲がる屈曲姿勢との間で出し入れ自在とすると共に、上下両可動アーム４の回動連結部５側に、引っ張り操作する引掛け部６と、干し具８を掛止する干し具掛止部７とを設けた物干し装置１である。【選択図】図１
2011125444.tif 000002
【特許請求の範囲】
【請求項１】
干し具を支持する物干し装置であって、窓開口部を挟んでその左右両側に対向して固定される左右一対の縦長形状の固定フレームと、各固定フレームに対してそれぞれ基端部が片持ち支持される上下２本の可動アームとを備えており、各固定フレームごとに、上下両可動アームの先端部同士が互いに回動自在に連結された回動連結部となっており、上下両可動アームは回動連結部を回動中心として、固定フレームに沿って縦方向に直列状となる立ち上がり姿勢と、前方に向けて側面視く字状に折れ曲がる屈曲姿勢との間で出し入れ自在とされていると共に、上下両可動アームの回動連結部側に、上下両可動アームを立ち上がり姿勢から屈曲姿勢に引っ張り操作するための引掛け部と、該屈曲姿勢で干し具の端部を掛止するための干し具掛止部とを設けてなることを特徴とする物干し装置。
【請求項２】
上下両可動アームの回動連結部側に、屈曲姿勢において上下両可動アーム間の最も幅狭となる部分を、回動連結部から離れる程徐々に幅広となる滑らかな形状に面取り形成したことを特徴とする請求項１記載の物干し装置。
【請求項３】
上下両可動アームの回動連結部側に、上下両可動アームが立ち上がり姿勢にあるときに該立ち上がり姿勢を保持する方向に磁気吸引力を付与するためのストッパ用磁石を取り付けたことを特徴とする請求項１記載の物干し装置。
【請求項４】
固定フレームの側方に縦長形状の化粧カバーを覆設し、固定フレームと化粧カバーとの間に上下両可動アームを出し入れ自在に収納する収納空間を設けたことを特徴とする請求項１乃至３のいずれか一項に記載の物干し装置。
【請求項５】
上下両可動アームの化粧カバーとの対向する面に、立ち上がり姿勢にある上下両可動アームと化粧カバーとの間に指詰め防止用の隙間を確保するための凹状部を形成したことを特徴とする請求項４記載の物干し装置。
【発明の詳細な説明】
【技術分野】
【０００１】
本発明は、窓開口部の両側に設置される物干し装置に関するものである。
【背景技術】
【０００２】
従来より、天井裏に設けた大型の収納ボックスから室内に一対の吊り下げ部材を昇降自在に連出し、吊り下げ部材の下端に引っ掛けた竿に洗濯物や布団等を吊り下げるようにした物干し装置が知られている(例えば特許文献１参照)。
【先行技術文献】
【特許文献】
【０００３】
【特許文献１】特願２００１−６２１９１号公報
【発明の概要】
【発明が解決しようとする課題】
【０００４】
ところが前記特許文献１に見られる物干し装置が、例えば窓開口部から離れた天井部に設置されるような場合にあっては、窓越しに洗濯物を天日干ししたり、窓開口部から取り込んだ外気を洗濯物に直接当てて自然乾燥を促進したりすることができない。
【０００５】
そこで、通常、室内の窓のカーテンレールや窓の上枠にフックを取り付けたり、或いはロープを掛け渡して、洗濯物を窓開口部近くで干すようにしているが、嵩張る洗濯物を干す場合は洗濯物がカーテンや窓ガラスに触れるなどして使い難いものであり、また洗濯物を干さない場合はフックやロープが目立つようになり、居間空間の意匠性が低下するものであった。
【０００６】
本発明は上記の事情に鑑みてなされたものであって、その目的とするところは、窓開口部の両側部分にスペースをとらずに簡単に設置でき、しかも使い易くでき、さらに洗濯物を干さないときはコンパクトに且つ外観良く収納でき、使用性と外観性を共に向上させることができる物干し装置を提供することにある。
【課題を解決するための手段】
【０００７】
前記の課題を解決するために、本発明は、干し具８を支持する物干し装置である。窓開口部２を挟んでその左右両側に対向して固定される左右一対の縦長形状の固定フレーム３と、各固定フレーム３に対してそれぞれ基端部が片持ち支持される上下２本の可動アーム４とを備える。各固定フレーム３ごとに、上下両可動アーム４の先端部同士が互いに回動自在に連結された回動連結部５となっている。上下両可動アーム４は回動連結部５を回動中心として、固定フレーム３に沿って縦方向Ｄに直列状となる立ち上がり姿勢と、前方に向けて側面視く字状に折れ曲がる屈曲姿勢との間で出し入れ自在とされている。上下両可動アーム４の回動連結部５側に、上下両可動アーム４を立ち上がり姿勢から屈曲姿勢に引っ張り操作するための引掛け部６と、該屈曲姿勢で干し具８を掛止するための干し具掛止部７とを設けてなることを特徴としている。
【０００８】
このような構成とすることで、回動連結部５側に設けた引掛け部６を例えば指で引っ張るだけで、上下両可動アーム４が回動連結部５を中心として前方に向けて側面視く字状に突出した屈曲姿勢となり、回動連結部５側に設けた干し具掛止部７に干し具８を掛止して洗濯物を窓越しに天日干しできるようになると共に、布団などの重量物を干す場合でも、その重量は上下両可動アーム４を介して窓開口部２の両側に固定された縦長形状の左右一対の固定フレーム３全体で受け止められるので、干し具８の安定性を確保できるようになる。一方、洗濯物を干さないときは、上下両可動アーム４を縦長形状の固定フレーム３に沿った立ち上がり姿勢でコンパクトに且つ外観良く収納できるようになる。
【０００９】
また、上下両可動アーム４の回動連結部５側に、屈曲姿勢において上下両可動アーム４間の最も幅狭となる部分９を、回動連結部５から離れる程徐々に幅広となる滑らかな形状に面取り形成するのが好ましい。この場合、干し具掛止部７を前方に引っ張り出す際に、屈曲姿勢となる上下両可動アーム４間に指が存在していても、最も幅狭となる部分９は回動連結部５から離れる程徐々に幅広となっていので、指が挟まれにくくなり、上下両可動アーム４の引っ張り操作を安全に行うことができる。
【００１０】
また、上下両可動アーム４の回動連結部５側に、上下両可動アーム４が立ち上がり姿勢にあるときに該立ち上がり姿勢を保持する方向に磁気吸引力Ｅを付与するためのストッパ用磁石１０を取り付けるのが好ましい。この場合、ストッパ用磁石１０の磁気吸引力Ｅを利用して上下両可動アーム４の立ち上がり姿勢を保持できると共に、意図的に上下両可動アーム４を引っ張り操作しない限り、不意に上下両可動アーム４が前方に突出するおそれがなくなり、上下両可動アーム４の収まりが一層良くなる。
【００１１】
また、固定フレーム３の側方に縦長形状の化粧カバー１１を覆設し、固定フレーム３と化粧カバー１１との間に上下両可動アーム４を出し入れ自在に収納する収納空間１２を設けるのが好ましい。この場合、立ち上がり姿勢にある上下両可動アーム４を化粧カバー１１で覆うことができ、外観が一段と向上する。
【００１２】
また、上下両可動アーム４の化粧カバー１１との対向する面に、立ち上がり姿勢にある上下両可動アーム４と化粧カバー１１との間に指詰め防止用の隙間１４を確保するための凹状部１３を形成するのが好ましい。この場合、上下両可動アーム４を屈曲姿勢から立ち上がり姿勢に戻す際に、上下両可動アーム４と化粧カバー１１との間に指が存在していても、上下両可動アーム４の凹状部１３によって上下両可動アーム４と化粧カバー１１との間に指詰め防止用の隙間１４が形成されるので、可動アーム４と化粧カバー１１間に指が挟まれる心配がなくなり、可動アーム４の押し込み操作を安全に行うことができる。
【発明の効果】
【００１３】
本発明は、窓開口部の両側部分にスペースをとらずに簡単に設置でき、しかも上下２本の可動アームを例えば指で引っ張るだけで、干し具掛止部を前方に向かって突出させて干し具を安定良く支持できるので使い易くなり、一方、洗濯物を干さないときは、上下両可動アームを固定フレームに沿った立ち上がり姿勢でコンパクトに収納できるので、本物干し装置が設置される居間空間の外観性が向上する。
【図面の簡単な説明】
【００１４】
【図１】本発明の実施形態の一例を示す物干し装置の使用状態の斜視図である。
【図２】（ａ）は同上の物干し装置の上下両可動アームを立ち上がり姿勢にした収納状態の側面図であり、（ｂ）は上下両可動アームを室内側に側面視く字状に突出させた屈曲姿勢にした使用状態の側面図である。
【図３】同上の上下両可動アームの屈曲姿勢における回動連結部の斜視図である。
【図４】同上の上下両可動アームの立ち上がり姿勢における回動連結部の側面図である。
【図５】本発明の実施形態の他例を示す斜視図である。
【図６】本発明の実施形態の更に他例を示し、（ａ）は上下両可動アームの屈曲姿勢の側面図であり、（ｂ）は立ち上がり姿勢の側面図である。
【発明を実施するための形態】
【００１５】
以下、本発明を添付図面に示す実施形態に基いて説明する。
【００１６】
本実施形態の物干し装置１は、図１に示すように、窓開口部２を挟んでその左右方向Ｆの両側に対向して固定される左右一対の縦長形状の固定フレーム３,３と、各固定フレーム３,３に対してそれぞれ基端部が片持ち支持される上下２本の可動アーム４とを具備している。
【００１７】
図１の例では、窓サッシを構成する左右両側の縦サッシフレーム１５,１５を、本装置１の縦長形状の左右一対の固定フレーム３として使用する。
【００１８】
左右の固定フレーム３は同じ高さに配置され、各固定フレーム３の互いに対向する内側面には、それぞれ上下一対の可動アーム４の基端部が片持ち支持されている。以下において、一方の固定フレーム３に対して片持ち支持される上下一対の可動アーム４について説明する。
【００１９】
固定フレーム３の内側面には、その上端部から中央部に亘って縦長のガイド溝１６が連続して形成されている。
【００２０】
固定フレーム３の内側面の下端部にはヒンジ部１７が取り付けられている。
【００２１】
上下２本の可動アーム４は、固定フレーム３の全長の略半分の長さ寸法を有する上側可動アーム４ａと下側可動アーム４ｂとで構成されている。図２に示すように、上側可動アーム４ａの基端部に取り付けたガイドローラー１８が固定フレーム３の上半部に設けたガイド溝１６内に上下移動自在にスライド嵌合している。
【００２２】
下側可動アーム４ｂの基端部は、固定フレーム３の下端部のヒンジ部１７に回動自在に連結支持されている。
【００２３】
上側可動アーム４ａと下側可動アーム４ｂの両先端部は、互いに回動自在に連結されてた回動連結部５となっている。
【００２４】
両可動アーム４ａ、４ｂは、回動連結部５を回動中心として、図２（ａ）に示すように固定フレーム３に沿って縦方向Ｄに直列状に並ぶ立ち上がり姿勢と、図２（ｂ）に示すように、室内側Ａ（前方）に向けて側面視く字状に折れ曲がる屈曲姿勢との間で出し入れ自在とされている。
【００２５】
回動連結部５側には、図３に示すように、指を掛けて両可動アーム４ａ、４ｂを立ち上がり姿勢から屈曲姿勢に引っ張り操作するための引掛け部６と、該屈曲姿勢で竿やロープなどの干し具８の端部を掛止するための干し具掛止部７とが設けられている。以下において物干し竿８ａを例示するが、ロープであってもよい。
【００２６】
本例では回動連結部５の中心側に設けられた穴部が引掛け部６と干し具掛止部７とを兼用している。つまり、上側可動アーム４ａと下側可動アーム４ｂの両先端部にはそれぞれ、指を通すことができる大きさの穴部がそれぞれ設けられ、両穴部が互いに連通するようにして各先端部が互いに回動自在に連結保持されている。両穴部は、指を挿通することで引掛け部６として機能し、さらに物干し竿８ａの端部を挿入するための干し具掛止部７として機能する。両穴部には、勿論、指に限らず、工具等を引っ掛けるようにしてもよい。
【００２７】
上記回動連結部５の外周側には、図３に示すように、外周形状を小径の略半円弧状をなすように肉盗みをした略半円形の凹部２０が形成されている。
【００２８】
回動連結部５の凹部２０の周方向の一方の端面は、回動連結部５の前方側（室内側Ａ）に位置しており、両可動アーム４ａ,４ｂが一直線上に伸びた状態（図３の状態）で互いに当接する前側当接面２１となっている。この前側当接面２１は、両可動アーム４ａ、４ｂが回動連結部５を中心に直列状に立ち上がり姿勢となったときに互いに当接することで、後方側（室内側Ａと反対側Ｂ）への折り曲げを規制するものである。
【００２９】
本例では、前側当接面２１には、両可動アーム４ａ、４ｂの立ち上がり姿勢を保持する方向に磁気吸引力Ｅを付与するためのストッパ用磁石１０が取り付けられている。このストッパ用磁石１０は、前側当接面２１の互いに対向する面に取り付けられ、異なる磁極を有する一対の永久磁石からなる。前側当接面２１同士が互いに近接したときに磁極間に発生する磁気吸引力Ｅを利用して、前側当接面２１同士が磁気吸着されて、両可動アーム４ａ,４ｂを直線状に伸ばした状態で保持するものである。なお、回動連結部５自体が磁性材料で構成されている場合は、前側当接面２１のいずれか一方のみに永久磁石を取り付けた構造であってもよい。
【００３０】
上記回動連結部５の凹部２０の周方向の他方の端面は、回動連結部５の後方側（室内側Ａと反対側Ｂ）に位置しており、両可動アーム４ａ,４ｂが室内側Ａに向けて側面視く字状に屈曲した状態で互いに当接する後側当接面２２となっている。この後側当接面２２は、両可動アーム４ａ、４ｂが側面視く字状の屈曲姿勢になるまで回動を許容すると共に、屈曲姿勢において互いに当接してそれ以上の屈曲を阻止する。この後側当接面２２は、屈曲姿勢にある両可動アーム４ａ、４ｂの最も幅狭となる部分９であり、本例では後側当接面２２を、回動連結部５から離れる程徐々に幅広となる滑らかなＲ形状に面取りすることで、後側当接面２２,２２間に指が挟まれにくい構造としている。
【００３１】
次に本装置１の使用例を説明する。
【００３２】
洗濯物を干す際には、両可動アーム４ａ、４ｂの回動連結部５に設けた引掛け部６に指を引っ掛けて室内側Ａから図２（ａ）の矢印方向に引っ張ると、上側可動アーム４ａの基端部に取り付けたガイドローラー１８が固定フレーム３のガイド溝１６に沿って下方に移動すると同時に、下側可動アーム４ｂの基端部が固定フレーム３の下端部のヒンジ部１７を中心に前方に回動することで、引掛け部６を前方に引き出すことができる。そして、ガイドローラー１８がガイド溝１６の下端に達した段階で下側可動アーム４ｂの前方への突出が停止し、上側可動アーム４ａの前方への回動も停止する。これにより両可動アーム４ａ、４ｂが前方に向かって側面視く字状に屈曲した状態となる（図２（ｂ）の状態）。この状態で引掛け部６を兼ねる干し具掛止部７に物干し竿８ａの端部を挿入して洗濯物を干すことができる（図１の状態）。
【００３３】
しかして、両可動アーム４ａ、４ｂの回動連結部５に設けた引掛け部６に指を挿入して引っ張るだけで、両可動アーム４ａ、４ｂ全体が室内側Ａに突出して屈曲姿勢となり、使い易くなると共に、引掛け部６を兼ねる干し具掛止部７が室内側Ａに突出することで、この干し具掛止部７に掛止される物干し竿８ａに洗濯物を吊るしたときに、洗濯物がカーテンや窓ガラス等に接触して汚れたりしないように配慮しながら、洗濯物を天日干しにより殺菌でき且つ外気を取り込んで自然乾燥を促進できるようになる。
【００３４】
また、引掛け部６を引っ張り出す際に両可動アーム４ａ、４ｂ間に指が存在していても、回動連結部５近傍の最も幅狭となる部分９（後側当接面２２）を回動連結部５から離れる程徐々に幅広となるＲ形状としたので、この部分９に指が挟まれにくくなり、両可動アーム４ａ、４ｂの引っ張り操作を安全に行うことができる。
【００３５】
さらに、布団などの重量物を干す場合においても、固定フレーム３と上側可動アーム４ａと下側可動アーム４ｂとが三角構造（トラス構造）となるので、重量物でも確実に支持できる利点もある。
【００３６】
一方、洗濯物を干さないときは、可動アーム４を手で後方に押すと、上側可動アーム４ａの基端部がガイド溝１６に沿ってスライド上昇すると同時に下側可動アーム４ｂの基端部がヒンジ部１７を中心に後方に回動することで両可動アーム４ａ、４ｂが固定フレーム３に沿って直線状に伸びた状態となる（図２（ａ）の状態）。この立ち上がり姿勢において両可動アーム４ａ、４ｂが嵩張らずコンパクトに且つすっきりとした外観で収納できるので、居間などの居間空間の意匠性が向上する。
【００３７】
しかも、両可動アーム４ａ、４ｂを立ち上がり姿勢にしたときは、図４に示すように、ストッパ用磁石１０により立ち上がり姿勢を保持する方向に磁気吸引力Ｅが作用するので、立ち上がり姿勢が保持され、意図的に両可動アーム４ａ、４ｂを室内側Ａに引っ張り操作しない限り、不意に室内側Ａに突出するおそれがなく、使用の安全性が向上する。
【００３８】
また本例では、窓の左右両側の縦サッシフレーム１５を、本装置１の固定フレーム３として利用するので、２本の固定フレーム３を別途作成したり、窓開口部２の両側に別途固定したりする必要がなく、簡単な構造で本装置１の取付けを実現できる利点もある。
【００３９】
図５は、本発明の実施形態の他例であり、固定フレーム３の内側面には、その全長に亘って縦長形状の化粧カバー１１が覆設されている。固定フレーム３と化粧カバー１１との間には、両可動アーム４ａ、４ｂを出し入れ自在に収納するための、室内側Ａに開口した収納空間１２が設けられている。他の構成は図１の実施形態と同様であり、対応する部分には同一符号を付して詳細な説明は省略する。また図５では左右一対の固定フレーム３のうちの一方のみを図示しているが、他方も同じ構造とする。本例では、化粧カバー１１の前端中央部に回動連結部５を外部に露出させる切欠凹部２３が形成されている。この切欠凹部２３以外の化粧カバー１１部分が立ち上がり姿勢にある両可動アーム４ａ、４ｂの回動連結部５以外の全体部分を覆うことにより、外観上の一体感が得られ、居室空間の意匠性がより一層向上する。
【００４０】
図６は図５の変形例であり、両可動アーム４ａ、４ｂの化粧カバー１１と対向する面、つまり各可動アーム４の後側部分に、その略全長に亘って凹状部１３を形成することで、可動アーム４と化粧カバー１１との間に指詰め防止用隙間１４を設けるようにしたものである。これにより、可動アーム４を屈曲姿勢から立ち上がり姿勢に戻す際に、可動アーム４の後側部分と化粧カバー１１の前端部との間に指が存在していても、隙間１４の存在によって可動アーム４と化粧カバー１１と間に指が挟まれる心配がなく、結果、化粧カバー１１にて外観を良好に保ちながら、可動アーム４の化粧カバー１１内部への押し込み操作をより安全に行うことができる。
【００４１】
本発明の物干し装置１は、天窓開口部の左右両側に設置することも可能である。さらに室内側Ａに設置する場合に限らず、室外側にも設置可能である。
【符号の説明】
【００４２】
１  物干し装置
２  窓開口部
３  固定フレーム
４  可動アーム
４ａ  上側可動アーム
４ｂ  下側可動アーム
５  回動連結部
６  引掛け部
７  干し具掛止部
８  干し具
９  幅狭となる部分
１０  ストッパ用磁石
１１  化粧カバー
１２  収納空間
１３  凹状部
１４  指詰め防止用隙間
Ａ  室内側
Ｄ  縦方向
Ｅ  磁気吸引力
Ｆ  左右方向
【図１】
2011125444.tif 000003
【図２】
2011125444.tif 000004
【図３】
2011125444.tif 000005
【図４】
2011125444.tif 000006
【図５】
2011125444.tif 000007
【図６】
2011125444.tif 000008